(57)【要約】  無線通信装置（１０）は、プッシュトークイベントを検出し、そのプッシュトークイベントに応答して位置登録処理を開始するように構成されたプロセッサ（１８）を含む。実施形態によれば、プロセッサ（１８）は、発言権制御イベントを検出したときに、無線通信装置（１８）及び／又は１つ以上のリモート無線通信装置の位置を特定する。他の実施形態によれば、プロセッサ（１８）は、セッション参加イベントを検出したときに、無線通信装置（１８）及び／又は１つ以上のリモート無線通信装置の位置を特定する。その結果、ユーザは無線通信装置（１８）及び／又はリモート無線通信装置の位置情報を有効に使用でき、プッシュトーク通信が容易になる。
2009532981.tif 000002
【特許請求の範囲】
【請求項１】
プッシュトーク機能を有する無線通信装置（１０）において実行される方法であって、
プッシュトークイベントを検出するステップと、
前記プッシュトークイベントに応答して位置登録処理を開始するステップと、
を有することを特徴とする方法。
【請求項２】
前記プッシュトークイベントは発言権制御イベントを含むことを特徴とする請求項１に記載の方法。
【請求項３】
前記発言権制御イベントによって開始される前記位置登録処理は、位置特定手順を含むことを特徴とする請求項２に記載の方法。
【請求項４】
前記位置特定手順は、前記無線通信装置（１０）の位置を特定することを特徴とする請求項３に記載の方法。
【請求項５】
前記位置特定手順は、１以上のリモート無線通信装置の位置を特定することを特徴とする請求項３に記載の方法。
【請求項６】
前記プッシュトークイベントはセッション参加イベントを含むことを特徴とする請求項１に記載の方法。
【請求項７】
前記セッション参加イベントによって開始される前記位置登録処理は、位置特定手順を含むことを特徴とする請求項６に記載の方法。
【請求項８】
前記位置特定手順は、前記無線通信装置（１０）の位置を特定することを特徴とする請求項７に記載の方法。
【請求項９】
前記位置特定手順は、１以上のリモート無線通信装置の位置を特定することを特徴とする請求項７に記載の方法。
【請求項１０】
前記プッシュトークイベントは、アプリケーション起動イベント、発言権制御イベント、開始イベント、セッション参加イベント、のうちの１つを含むことを特徴とする請求項１に記載の方法。
【請求項１１】
前記位置登録処理は、前記無線通信装置（１０）及び１以上のリモート無線通信装置のうちの少なくともいずか１つにおける位置登録電子回路（２２）の動作状態を判定するための状態判定手順を含むことを特徴とする請求項１０に記載の方法。
【請求項１２】
前記位置登録処理は、前記無線通信装置（１０）及び１以上のリモート無線通信装置のうちの少なくともいずれか１つにおける位置登録電子回路（２２）の機能を判定するための機能判定手順を含むことを特徴とする請求項１０に記載の方法。
【請求項１３】
前記位置登録処理は、前記無線通信装置（１０）及び１以上のリモート無線通信装置のうちの少なくともいずれか１つにおける位置登録電子回路（２２）を動作させる動作開始手順を含むことを特徴とする請求項１０に記載の方法。
【請求項１４】
前記位置登録処理は、前記無線通信装置（１０）及び１以上のリモート無線通信装置のうちの少なくともいずれか１つにおける位置登録アプリケーションを起動するための起動手順を含むことを特徴とする請求項１０に記載の方法。
【請求項１５】
前記位置登録処理は、前記無線通信装置（１０）及び１以上のリモート無線通信装置のうちの少なくともいずれか１つにおける位置を特定するための位置特定手順を含むことを特徴とする請求項１０に記載の方法。
【請求項１６】
前記プッシュトークイベントは、アプリケーション終了イベント及びセッション終了イベントの少なくともいずれか１つを含むことを特徴とする請求項１に記載の方法。
【請求項１７】
前記位置登録処理は、前記位置登録処理は、前記無線通信装置（１０）及び１以上のリモート無線通信装置のうちの少なくともいずれか１つにおける位置登録電子回路（２２）を非動作にするための動作終了手順を含むことを特徴とする請求項１６に記載の方法。
【請求項１８】
前記位置登録処理は、前記無線通信装置（１０）及び１以上のリモート無線通信装置のうちの少なくともいずれか１つにおける位置登録アプリケーションを終了するためのアプリケーション終了手順を含むことを特徴とする請求項１６に記載の方法。
【請求項１９】
前記位置登録処理は、前記無線通信装置（１０）及び１以上のリモート無線通信装置のうちの少なくともいずれか１つにおける位置登録要求を終了するための位置登録終了手順を含むことを特徴とする請求項１６に記載の方法。
【請求項２０】
前記位置登録処理の結果を、無線ネットワーク、前記無線通信装置（１０）、１以上のリモート無線通信装置のうちの少なくともいずれか１つに出力するステップを更に有することを特徴とする請求項１に記載の方法。
【請求項２１】
前記位置登録処理の結果を、前記無線通信装置（１０）の出力装置に出力するステップを更に有することを特徴とする請求項１に記載の方法。
【請求項２２】
前記位置登録処理の結果を出力する前記ステップは、前記無線通信装置（１０）の表示部（３４）に位置登録結果を出力するステップを含むことを特徴とする請求項２１に記載の方法。
【請求項２３】
第１の位置登録処理を開始した後に、追加的な位置登録処理を周期的に開始するステップを更に有することを特徴とする請求項２１に記載の方法。
【請求項２４】
前記プッシュトークイベントは、ソフトウェアにより生成されるプッシュトークイベント、ユーザ入力により生成されるプッシュトークイベント、ネットワークにより生成されるプッシュトークイベント、のうちの少なくともいずれか１つを含むことを特徴とする請求項１に記載の方法。
【請求項２５】
プッシュトーク機能を有する無線通信装置（１０）であって、
プッシュトークイベントを検出し、
前記プッシュトークイベントに応答して位置登録処理を開始する
ように構成されたプロセッサ（１８）を備えることを特徴とする無線通信装置（１０）。
【請求項２６】
プッシュトーク操作部（３２）を更に備え、
前記プッシュトーク操作部（３２）のユーザ操作によって前記プッシュトークイベントが生成されることを特徴とする請求項２５に記載の無線通信装置（１０）。
【請求項２７】
前記プッシュトークイベントは発言権制御イベントを含むことを特徴とする請求項２６に記載の無線通信装置（１０）。
【請求項２８】
前記発言権制御イベントによって開始される前記位置登録処理は、位置特定手順を含むことを特徴とする請求項２７に記載の無線通信装置（１０）。
【請求項２９】
前記位置特定手順は、前記無線通信装置（１０）の位置を特定することを特徴とする請求項２８に記載の無線通信装置（１０）。
【請求項３０】
前記位置特定手順は、１以上のリモート無線通信装置の位置を特定することを特徴とする請求項２８に記載の無線通信装置（１０）。
【請求項３１】
前記プッシュトークイベントはセッション参加イベントを含むことを特徴とする請求項２５に記載の無線通信装置（１０）。
【請求項３２】
前記セッション参加イベントによって開始される前記位置登録処理は、位置特定手順を含むことを特徴とする請求項３１に記載の無線通信装置（１０）。
【請求項３３】
前記位置特定手順は、前記無線通信装置（１０）の位置を特定することを特徴とする請求項３２に記載の無線通信装置（１０）。
【請求項３４】
前記位置特定手順は、１以上のリモート無線通信装置の位置を特定することを特徴とする請求項３２に記載の無線通信装置（１０）。
【請求項３５】
前記プッシュトークイベントは、アプリケーション起動イベント、発言権制御イベント、開始イベント、セッション参加イベント、のうちの１つを含むことを特徴とする請求項２５に記載の無線通信装置（１０）。
【請求項３６】
前記位置登録処理は、前記無線通信装置（１０）及び１以上のリモート無線通信装置のうちの少なくともいずか１つにおける位置登録電子回路（２２）の動作状態を判定するための状態判定手順を含むことを特徴とする請求項３５に記載の無線通信装置（１０）。
【請求項３７】
前記位置登録処理は、前記無線通信装置（１０）及び１以上のリモート無線通信装置のうちの少なくともいずれか１つにおける位置登録電子回路（２２）の機能を判定するための機能判定手順を含むことを特徴とする請求項３５に記載の無線通信装置（１０）。
【請求項３８】
前記位置登録処理は、前記無線通信装置（１０）及び１以上のリモート無線通信装置のうちの少なくともいずれか１つにおける位置登録電子回路（２２）を動作させる動作開始手順を含むことを特徴とする請求項３５に記載の無線通信装置（１０）。
【請求項３９】
前記位置登録処理は、前記無線通信装置（１０）及び１以上のリモート無線通信装置のうちの少なくともいずれか１つにおける位置登録アプリケーションを起動するための起動手順を含むことを特徴とする請求項３５に記載の無線通信装置（１０）。
【請求項４０】
前記位置登録処理は、前記無線通信装置（１０）及び１以上のリモート無線通信装置のうちの少なくともいずれか１つにおける位置を特定するための位置特定手順を含むことを特徴とする請求項３５に記載の無線通信装置（１０）。
【請求項４１】
前記プッシュトークイベントは、アプリケーション終了イベント及びセッション終了イベントの少なくともいずれか１つを含むことを特徴とする請求項２５に記載の無線通信装置（１０）。
【請求項４２】
前記位置登録処理は、前記位置登録処理は、前記無線通信装置（１０）及び１以上のリモート無線通信装置のうちの少なくともいずれか１つにおける位置登録電子回路（２２）を非動作にするための動作終了手順を含むことを特徴とする請求項４１に記載の無線通信装置（１０）。
【請求項４３】
前記位置登録処理は、前記無線通信装置（１０）及び１以上のリモート無線通信装置のうちの少なくともいずれか１つにおける位置登録アプリケーションを終了するためのアプリケーション終了手順を含むことを特徴とする請求項４１に記載の無線通信装置（１０）。
【請求項４４】
前記位置登録処理は、前記無線通信装置（１０）及び１以上のリモート無線通信装置のうちの少なくともいずれか１つにおける位置登録要求を終了するための位置登録終了手順を含むことを特徴とする請求項４１に記載の無線通信装置（１０）。
【請求項４５】
前記プロセッサ（１８）は更に、前記位置登録処理の結果を、無線ネットワーク及び１以上のリモート無線通信装置のうちの少なくともいずれか１つに出力するように構成されていることを特徴とする請求項２５に記載の無線通信装置（１０）。
【請求項４６】
前記プロセッサ（１８）は更に、前記位置登録処理の結果を、前記無線通信装置（１０）の出力装置（２８，３４）に出力するように構成されていることを特徴とする請求項２５に記載の無線通信装置（１０）。
【請求項４７】
表示部（３４）を更に備え、前記結果は位置登録結果を含み、前記プロセッサ（１８）は更に、前記位置登録結果を前記表示部（３４）に出力するように構成されていることを特徴とする請求項４６に記載の無線通信装置（１０）。
【請求項４８】
前記プロセッサ（１８）は更に、第１の位置登録処理を開始した後に、追加的な位置登録処理を周期的に開始するように構成されていることを特徴とする請求項２５に記載の無線通信装置（１０）。
【請求項４９】
前記プッシュトークイベントは、ソフトウェアにより生成されるプッシュトークイベント、ユーザ入力により生成されるプッシュトークイベント、ネットワークにより生成されるプッシュトークイベント、のうちの少なくともいずれか１つを含むことを特徴とする請求項２５に記載の無線通信装置（１０）。
【発明の詳細な説明】
【技術分野】
【０００１】
本発明は、無線通信サービスに関し、特に、携帯電話のプッシュトーク及び位置に基づくサービスに関する。
【背景技術】
【０００２】
携帯電話その他の無線通信装置の普及のために、メーカーやサービスプロバイダは、自分の製品をライバル製品と差別化する特徴やサービスを探り続けている。現在では、プッシュトークサービス及び位置に基づくサービスは、特に消費者に好評である。
【０００３】
プッシュトークサービスは、携帯電話をトランシーバと同じように動作させる半二重音声サービスである。一回に話せるのは１人だけで、他の全てのユーザはそれを聞く。話すときは、話者はプッシュトーク操作部又はプッシュトークボタンを押し、プッシュトークボタンを押したまま話を始める。話し終えると、プッシュトークボタンを離して他の参加者に話す機会を与える。
【０００４】
位置に基づくサービスは、位置に応じた携帯電話ユーザ特化サービスを提供する。これらのサービスは、ＧＰＳ（グローバル・ポジショニング・システム）などの位置特定技術の１つを用いてユーザの位置を特定する。特定された位置やその他の個人用情報に基づいて、位置に基づくサービスは、個人用位置特有情報をユーザに提供する。たとえば、位置に基づくサービスは、ユーザに対し、会社近くのリストや、指定位置の方向などを提供することができる。
【０００５】
プッシュトーク及び位置に基づくサービスは現在、従来の携帯電話上で独立に動作する。しかし、プッシュトーク及び位置に基づく処理を相補的に利用することにより、拡張されたプッシュトーク及び位置に基づくサービスがメーカーやサービスプロバイダによって開発されれば有益であろう。
【発明の開示】
【０００６】
プッシュトーク機能及び位置に基づくサービス機能を有する例示的な無線通信装置は、プッシュトークと位置に基づくサービスとをリンクする。具体的には、例示的な無線通信装置は、検出されたプッシュトークイベントに応答して位置登録処理を開始するように構成されたプロセッサを備える。プッシュトークイベントは例えば、発言権制御（floor control）イベント、プッシュトークセッションイベントなどを含み、例示的な位置登録処理は、位置特定手順、位置登録電子回路動作開始手順などを含む。一実施形態によれば、プロセッサは、プッシュトークイベントを検出すると、無線通信装置及び／又は１つ以上のリモート無線通信装置の位置を特定する。
【発明を実施するための最良の形態】
【０００７】
図１及び図２は、プッシュトーク機能及び位置に基づくサービス機能を有する無線通信装置１０を示す図である。装置１０は、アンテナ１４を備える送受信器１２、ユーザインタフェース１６、システムプロセッサ１８、メモリ２０、アンテナ２４を備える位置登録電子回路２２を含む。送受信器１２は、ＧＳＭ、広帯域符号分割多元接続（ＷＣＤＭＡ）、ｃｄｍａ２０００などの公知の標準規格に従い、アンテナ１４を介して、１つ以上の基地局に対して信号を送受することにより、１つ以上のリモート無線通信装置（図示せず）と通信する。好ましくは、リモート無線通信装置は無線通信装置１０と類似のものである。ユーザはユーザインタフェース１６を介して装置１０を操作することができる。ユーザインタフェース１６は、マイクロホン２６、スピーカ２８、１つ以上の操作部３０、表示部３４を含む。マイクロホン２６は、可聴入力を検出し、その可聴入力を、プロセッサ１８で処理される電気信号に変換する。スピーカ２８は、プロセッサ１８から電気音響信号を受信し、それを可聴出力に変換する。操作部３０は、キーパッド、ジョイスティック、ソフトキーなどのうちの少なくとも１つを含み、ユーザが装置１０に対して入力することを可能にする。また、操作部３０は、ユーザ起動操作に応答してプッシュトークサービスを起動するプッシュトーク操作部３２を含む。表示部３４は、ユーザが見る情報を表示する。
【０００８】
プロセッサ１８は、メモリ２０に記憶されているアプリケーションプログラムにより、ユーザ入力に応答して、無線通信装置１０の全ての動作の制御を含むさまざまな処理タスクを実行する。１つの実施形態によれば、メモリ２０は、プロセッサ１８によって実行されるプッシュトークアプリケーション３６及び位置登録アプリケーション３８を記憶している。プッシュトークアプリケーション３６は、無線通信装置１０をプッシュトークモードで動作させ、ユーザにプッシュトークサービスを提供することを可能にする。
【０００９】
位置登録アプリケーション３８は、無線通信装置１０を位置登録モードで動作させ、ユーザに位置に基づくサービスを提供することを可能にする。位置登録アプリケーション３８は、無線通信装置１０の位置を特定するためのいかなる公知の手順を使用してもよい。たとえば、装置１０が位置登録電子回路２２（例えばＧＰＳレシーバ、又は、その他の位置に基づくサービスレシーバ）を含む場合、位置登録アプリケーション３８は、ＧＰＳ座標、GLONASS（Global NavigationSystem）座標、ガリレオ座標、三角測量座標、その他のナビゲーション座標を、位置登録電子回路２２から取得する。位置登録アプリケーション３８によれば、プロセッサ１８は、ナビゲーション座標に基づいて装置１０の位置を計算する。位置登録アプリケーション３８は、装置１０に対し、１以上のリモート無線通信装置に関連した、位置に基づくサービスも提供できることが好ましい。
【００１０】
一実施形態によれば、無線通信装置１０は、１つ以上のプッシュトークイベントを定義し、そのプッシュトークイベントに応答して位置登録処理を開始することにより、プッシュトークサービスと位置に基づくサービスをリンクさせる。具体的には、１以上のプッシュトークイベントのために装置１０の処理を監視する。プッシュトークイベントの検出に応答して、プロセッサ１８は所定の位置登録処理を開始する。好ましくは、プロセッサ１８は、プッシュトークイベントに関するプッシュトーク処理を実行すると同時に、位置登録処理を開始する。あるいは、プッシュトークイベントに関するプッシュトーク処理の実行前もしくは後に、位置登録処理を開始するようにしてもよい。
【００１１】
プッシュトークイベントは、プッシュトークサービスに関連するさまざまなイベントを含みうる。例えば、プッシュトークイベントは、装置１０のプッシュトークアプリケーションを起動するためのアプリケーション起動イベント、プッシュトークセッション中における発言権制御を要求し、許可し、開放するための発言権制御イベント、他のリモート無線通信装置による現在のプッシュトークセッションに装置１０を参加させるためのセッション参加イベント、を含む。プッシュトークイベントは更に、プッシュトーク操作部３２のユーザ操作などのユーザ入力に応答してプッシュトーク処理を開始するための開始イベントを含むこともできる。あるいは、プッシュトークイベントは、プッシュトークアプリケーションを終了するためのアプリケーション終了イベント、及び、他のリモート無線通信装置との現在のプッシュトークセッションから装置１０を抜けるためのセッション終了イベントを含むこともできる。
【００１２】
プッシュトークイベントは、ソフトウェアにより生成されるイベントでもよいし、ユーザにより生成されるイベントでもよいし、ネットワークにより生成されるイベントでもよい。例えば、プッシュトークアプリケーション３６の実行中に、プロセッサ１８により実行されるソフトウェアがプッシュトークイベントを生成することができる。他の実施形態では、プッシュトーク操作部３２のユーザ操作、表示部３４に表示されたメニューからのプッシュトークイベントのユーザ選択などの、ユーザ入力に応答して、プッシュトークイベントが生成されるようにしてもよい。また、１つ以上の無線通信装置との間のプッシュトークセッション中に、プッシュトークイベントがネットワークによって生成されるようにしてもよい。例えば、プッシュトークセッション中に無線通信装置に発言権制御を許可するときに、ネットワークがプッシュトークイベントを生成することができる。
【００１３】
位置登録処理は、位置に基づくサービス及び／又は位置登録電子回路２２の動作に関連するあらゆる種類の処理や手順を有することができる。例えば、位置処理は、状態判定手順、機能判定手順、動作開始処理（activation operation）、起動処理（launch operation）、位置特定手順を含む。状態判定手順は、位置登録電子回路２２のオン／オフ、現在動作状態などの、動作状態を判定する。機能判定手順は、位置登録電子回路２２のＧＰＳ、三角測量などの機能を判定する。動作開始処理は、起動処理が装置１０の位置登録アプリケーション３８を起動している間に、位置登録電子回路２２の動作を開始させ又はターンオンする。位置登録処理は、アプリケーション終了手順、動作終了手順、位置登録終了手順を含むこともできる。アプリケーション終了手順は、装置１０のプッシュトークアプリケーションを終了する。動作終了手順は、位置登録終了手順が装置１０の位置判定要求又は位置判定処理を終了しているときに、位置登録電子回路２２の動作を終了する。上述の位置登録処理は、装置１０とのプッシュトークグループ内のリモート無線通信装置に適用できることが好ましい。
【００１４】
図３に、プロセッサ１８によって実行される、装置１０のプッシュトークと位置に基づくサービスとをリンクする処理１００を示す。プロセッサ１８がプッシュトークイベントを検出すると（ブロック１０５）、プロセッサ１８は位置登録処理を開始する（ブロック１１０）。例えば、位置登録手順は、発言権制御イベントなどのプッシュトークイベントに応答して、装置１０の位置又はリモート側の位置を特定する。
【００１５】
装置１０は、位置登録処理の結果を、ユーザ、無線ネットワーク、リモート無線通信装置、の少なくともいずれかに出力することができる。一実施形態において、プロセッサ１８は、リモート無線通信装置の位置を、スピーカ２８、表示部３４などの装置１０の出力装置に供給する。例えば、プロセッサ１８は、図２に示すように、装置１０又はリモート無線通信装置の位置を視覚的に表示する地図を、表示部３４に表示することができる。ここで、スピーカ２８が住所を出力してもよいし、表示部３４が住所を表示するなどしてもよい。他の実施形態においては、装置１０は、ＳＩＰメッセージを用いて、装置１０の位置を１以上のリモート無線通信装置に送信する。更に別の実施形態においては、装置１０は、装置１０の位置を示すメッセージを、無線ネットワークに送信する。なお、これらの例は例示にすぎず、これらに限定するものではない。
【００１６】
一実施形態において、タクシー配車担当者によって操作される無線通信装置１０が、タクシードライバーによって操作される複数の無線通信装置（ＷＣＤ）と通信していると仮定する。図４はこの実施形態の一例を示すフローチャートである。配車担当者がプッシュトーク操作部３２を押下したとき、プロセッサ１８は発言権制御イベントを検出する（ブロック１０６）。その発言権制御イベントに応答して、プロセッサ１８は公知の手段によりリモート装置の位置を特定する（ブロック１１５）。プロセッサ１８は、各リモート装置の位置を、表示部３４の地図に表示する（ブロック１２０）。これにより、タクシー配車担当者は、各タクシーの位置を一目で確認でき、各タクシードライバーの配置を決定することができる。
【００１７】
他の実施形態において、タクシードライバーによって操作される無線通信装置１０が、タクシー配車担当者によって操作されるリモート無線通信装置と通信していると仮定する。この実施形態では、図５に示すように、タクシードライバーがタクシー配車担当者とプッシュトークセッションに入ったとき（ブロック１０７）、プロセッサ１８はタクシードライバーの装置１０の位置を特定する（ブロック１２５）。その後、装置１０はその位置を、公知の手段によりタクシー配車担当者の無線通信装置に送信する。例えば、無線通信装置１０は、その位置をタクシー配車担当者の装置に送信するのにＳＩＰメッセージを用いることができる。このようにタクシーの位置をタクシー配車担当者に提供することにより、タクシー配車担当者は、理知的かつ効率的にタクシードライバーのワークフローを制御することができる。
【００１８】
上述の実施形態は例示にすぎず、本発明はこれらに限定されるものではない。上述の無線通信装置１０及び処理は、家族、友人、ビジネスなどのさまざまなグループにおいて広く使用することができる。例えば、上述の発明を使用して、親は、子供とプッシュトークセッションに参加している間、子供の位置を確認することができる。
【００１９】
上述の例では、発言権制御イベント、セッション参加イベント、位置特定手順、いくつかのプッシュトークイベントによって位置登録処理が開始される点について本発明を説明した。ただし、特定の位置登録処理を特定のプッシュトークイベントに論理的に適用することができる。例えば、プロセッサ１８は、プッシュトーク起動イベントの検出に応答して起動処理を開始することができる。あるいは、プロセッサ１８は、セッション参加イベントの検出に応答して一特定処理を開始することができる。更に別の例では、プロセッサ１８はセッション終了イベントの検出に応答して動作終了処理を開始することができる。
【００２０】
プッシュトークイベントに応答して１つの位置特定処理を開始する例を説明したが、本発明はこれに限定されない。一実施形態において、プロセッサ１８は、１つのプッシュトークイベントに応答して、位置登録処理を周期的に開始することができる。例えば、セッション参加イベントを検出した後、プロセッサ１８は２分毎に位置登録処理を開始することができる。
【００２１】
上述の無線通信装置１０及び処理によれば、プッシュトークと位置に基づくサービスとがリンクする。その結果、ユーザは、１つのプッシュトークイベントを発するだけでプッシュトークと位置登録処理の両方のサービスを受けることができる。特に、ユーザは、プッシュトークグループのメンバーの位置情報を判定し、及び／又は、位置登録アプリケーションに別途アクセスすることなく、プッシュトークグループのメンバーに、それらの位置情報を提供することができる。
【００２２】
上述の無線通信装置１０は、無線ネットワークにおいて信号の送受を行うことが可能ないかなるタイプの無線通信装置であってもよい。例えば、無線通信装置は、携帯電話、ＰＤＡ、ラップトップコンピュータ、パームトップコンピュータを含む。
【００２３】
本発明は、本明細書で開示した本発明の基本的特徴から離れずに他の方法でも実現可能である。本発明の実施形態は全て例示であって限定的に解すべきものではなく、請求の範囲に記載した発明又はその均等の範囲内でさまざまな変形が可能である。
【図面の簡単な説明】
【００２４】
【図１】無線通信装置のブロック図。
【図２】本発明による例示的な無線通信装置を示す図。
【図３】無線通信装置に係る処理の一例を示すフローチャート。
【図４】無線通信装置に係る処理の別の例を示すフローチャート。
【図５】無線通信装置に係る処理の別の例を示すフローチャート。
【図１】
2009532981.tif 000003
【図２】
2009532981.tif 000004
【図３】
2009532981.tif 000005
【図４】
2009532981.tif 000006
【図５】
2009532981.tif 000007
【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
プッシュトーク機能を有する無線通信装置（１０）において実行される方法であって、
プッシュトークイベントを検出するステップと、
前記プッシュトークイベントに応答して位置登録処理を開始するステップと、
を有することを特徴とする方法。
【請求項２】
前記プッシュトークイベントは、アプリケーション起動イベント、発言権制御イベント、開始イベント、セッション参加イベント、のうちの１つを含むことを特徴とする請求項１に記載の方法。
【請求項３】
前記プッシュトークイベントは、アプリケーション終了イベント及びセッション終了イベントの少なくともいずれか１つを含むことを特徴とする請求項１に記載の方法。
【請求項４】
前記位置登録処理は、前記無線通信装置（１０）及び１以上のリモート無線通信装置のうちの少なくともいずれか１つにおける位置登録電子回路（２２）を非動作にするための動作終了手順と、前記無線通信装置（１０）及び１以上のリモート無線通信装置のうちの少なくともいずれか１つにおける位置登録アプリケーションを終了するためのアプリケーション終了手順と、前記無線通信装置（１０）及び１以上のリモート無線通信装置のうちの少なくともいずれか１つにおける位置登録要求を終了するための位置登録終了手順と、のうちの１つを含むことを特徴とする請求項３に記載の方法。
【請求項５】
前記位置登録処理の結果を、前記無線通信装置（１０）の出力装置に出力する、又は、前記位置登録処理の結果を、無線ネットワーク、前記無線通信装置（１０）、１以上のリモート無線通信装置のうちの少なくともいずれか１つに供給するステップを更に有することを特徴とする請求項１に記載の方法。
【請求項６】
第１の位置登録処理を開始した後に、追加的な位置登録処理を周期的に開始するステップを更に有することを特徴とする請求項１に記載の方法。
【請求項７】
プッシュトーク機能を有する無線通信装置（１０）であって、
プッシュトークイベントを検出し、
前記プッシュトークイベントに応答して位置登録処理を開始するように構成されたプロセッサ（１８）
を備えることを特徴とする無線通信装置（１０）。
【請求項８】
前記プッシュトークイベントは、アプリケーション起動イベント、発言権制御イベント、開始イベント、セッション参加イベント、のうちの１つを含むことを特徴とする請求項７に記載の無線通信装置（１０）。
【請求項９】
前記プッシュトークイベントは、アプリケーション終了イベント及びセッション終了イベントの少なくともいずれか１つを含むことを特徴とする請求項７に記載の無線通信装置（１０）。
【請求項１０】
前記位置登録処理は、前記位置登録処理は、前記無線通信装置（１０）及び１以上のリモート無線通信装置のうちの少なくともいずれか１つにおける位置登録電子回路（２２）を非動作にするための動作終了手順と、前記無線通信装置（１０）及び１以上のリモート無線通信装置のうちの少なくともいずれか１つにおける位置登録アプリケーションを終了するためのアプリケーション終了手順と、前記無線通信装置（１０）及び１以上のリモート無線通信装置のうちの少なくともいずれか１つにおける位置登録要求を終了するための位置登録終了手順と、のうちの１つを含むことを特徴とする請求項９に記載の無線通信装置（１０）。
【手続補正２】
【補正対象書類名】明細書
【補正対象項目名】０００６
【補正方法】変更
【補正の内容】
【０００６】
プッシュトーク機能及び位置に基づくサービス機能を有する例示的な無線通信装置は、プッシュトークと位置に基づくサービスとをリンクする。具体的には、例示的な無線通信装置は、検出されたプッシュトークイベントに応答して位置登録処理を開始するように構成されたプロセッサを備える。プッシュトークイベントは例えば、発言権制御（floor control）イベント、プッシュトークセッションイベントなどを含み、例示的な位置登録処理は、位置特定手順、位置登録電子回路動作開始手順などを含む。一実施形態によれば、プロセッサは、プッシュトークイベントを検出すると、無線通信装置及び／又は１つ以上のリモート無線通信装置の位置を特定する。
一実施形態において、前記プッシュトークイベントは発言権制御イベントを含む。
一実施形態において、前記発言権制御イベントによって開始される前記位置登録処理は、位置特定手順を含む。
一実施形態において、前記発言権制御イベントによって開始される前記位置特定手順は、前記無線通信装置の位置を特定する。
一実施形態において、前記発言権制御イベントによって開始される前記位置特定手順は、１以上のリモート無線通信装置の位置を特定する。
一実施形態において、前記プッシュトークイベントはセッション参加イベントを含む。
一実施形態において、前記セッション参加イベントによって開始される前記位置登録処理は、位置特定手順を含む。
一実施形態において、前記セッション参加イベントによって開始される前記位置特定手順は、前記無線通信装置の位置を特定する。
一実施形態において、前記セッション参加イベントによって開始される前記位置特定手順は、１以上のリモート無線通信装置の位置を特定する。
一実施形態において、前記プッシュトークイベントは、アプリケーション起動イベント、発言権制御イベント、開始イベント、セッション参加イベント、のうちの１つを含む。
一実施形態において、前記位置登録処理は、前記無線通信装置及び１以上のリモート無線通信装置のうちの少なくともいずか１つにおける位置登録電子回路の動作状態を判定するための状態判定手順を含む。
一実施形態において、前記位置登録処理は、前記無線通信装置及び１以上のリモート無線通信装置のうちの少なくともいずれか１つにおける位置登録電子回路の機能を判定するための機能判定手順を含む。
一実施形態において、前記位置登録処理は、前記無線通信装置及び１以上のリモート無線通信装置のうちの少なくともいずれか１つにおける位置登録電子回路を動作させる動作開始手順を含む。
一実施形態において、前記位置登録処理は、前記無線通信装置及び１以上のリモート無線通信装置のうちの少なくともいずれか１つにおける位置登録アプリケーションを起動するための起動手順を含む。
一実施形態において、前記位置登録処理は、前記無線通信装置及び１以上のリモート無線通信装置のうちの少なくともいずれか１つにおける位置を特定するための位置特定手順を含む。
一実施形態において、前記プッシュトークイベントは、アプリケーション終了イベント及びセッション終了イベントの少なくともいずれか１つを含む。
一実施形態において、前記位置登録処理は、前記無線通信装置及び１以上のリモート無線通信装置のうちの少なくともいずれか１つにおける位置登録電子回路を非動作にするための動作終了手順を含む。
一実施形態において、前記位置登録処理は、前記無線通信装置及び１以上のリモート無線通信装置のうちの少なくともいずれか１つにおける位置登録アプリケーションを終了するためのアプリケーション終了手順を含む。
一実施形態において、前記位置登録処理は、前記無線通信装置及び１以上のリモート無線通信装置のうちの少なくともいずれか１つにおける位置登録要求を終了するための位置登録終了手順を含む。
一実施形態において、前記位置登録処理の結果を、無線ネットワーク、前記無線通信装置、１以上のリモート無線通信装置のうちの少なくともいずれか１つに出力するステップを更に有する。
一実施形態において、前記位置登録処理の結果を、前記無線通信装置の出力装置に出力するステップを更に有する。
一実施形態において、前記位置登録処理の結果を出力する前記ステップは、前記無線通信装置の表示部に位置登録結果を出力するステップを含む。
一実施形態において、第１の位置登録処理を開始した後に、追加的な位置登録処理を周期的に開始するステップを更に有する。
一実施形態において、前記プッシュトークイベントは、ソフトウェアにより生成されるプッシュトークイベント、ユーザ入力により生成されるプッシュトークイベント、ネットワークにより生成されるプッシュトークイベント、のうちの少なくともいずれか１つを含む。
本発明の実施形態は、プッシュトーク機能を有する無線通信装置も含む。この無線通信装置は、プッシュトークイベントを検出し、前記プッシュトークイベントに応答して位置登録処理を開始するように構成されたプロセッサを備える。
一実施形態において、プッシュトーク操作部を更に備え、
前記プッシュトーク操作部のユーザ操作によって前記プッシュトークイベントが生成される。
一実施形態において、前記プッシュトークイベントは発言権制御イベントを含む。
一実施形態において、前記発言権制御イベントによって開始される前記位置登録処理は、位置特定手順を含む。
一実施形態において、前記発言権制御イベントによって開始される前記位置特定手順は、前記無線通信装置の位置を特定する。
一実施形態において、前記発言権制御イベントによって開始される前記位置特定手順は、１以上のリモート無線通信装置の位置を特定する。
一実施形態において、前記プッシュトークイベントはセッション参加イベントを含む。
一実施形態において、前記セッション参加イベントによって開始される前記位置登録処理は、位置特定手順を含む。
一実施形態において、前記セッション参加イベントによって開始される前記位置特定手順は、前記無線通信装置の位置を特定する。
一実施形態において、前記セッション参加イベントによって開始される前記位置特定手順は、１以上のリモート無線通信装置の位置を特定する。
一実施形態において、前記プッシュトークイベントは、アプリケーション起動イベント、発言権制御イベント、開始イベント、セッション参加イベント、のうちの１つを含む。
一実施形態において、前記位置登録処理は、前記無線通信装置及び１以上のリモート無線通信装置のうちの少なくともいずか１つにおける位置登録電子回路の動作状態を判定するための状態判定手順を含む。
一実施形態において、前記位置登録処理は、前記無線通信装置及び１以上のリモート無線通信装置のうちの少なくともいずれか１つにおける位置登録電子回路の機能を判定するための機能判定手順を含む。
一実施形態において、前記位置登録処理は、前記無線通信装置及び１以上のリモート無線通信装置のうちの少なくともいずれか１つにおける位置登録電子回路を動作させる動作開始手順を含む。
一実施形態において、前記位置登録処理は、前記無線通信装置及び１以上のリモート無線通信装置のうちの少なくともいずれか１つにおける位置登録アプリケーションを起動するための起動手順を含む。
一実施形態において、前記位置登録処理は、前記無線通信装置及び１以上のリモート無線通信装置のうちの少なくともいずれか１つにおける位置を特定するための位置特定手順を含む。
一実施形態において、前記プッシュトークイベントは、アプリケーション終了イベント及びセッション終了イベントの少なくともいずれか１つを含む。
一実施形態において、前記位置登録処理は、前記位置登録処理は、前記無線通信装置及び１以上のリモート無線通信装置のうちの少なくともいずれか１つにおける位置登録電子回路を非動作にするための動作終了手順を含む。
一実施形態において、前記位置登録処理は、前記無線通信装置及び１以上のリモート無線通信装置のうちの少なくともいずれか１つにおける位置登録アプリケーションを終了するためのアプリケーション終了手順を含む。
一実施形態において、前記位置登録処理は、前記無線通信装置及び１以上のリモート無線通信装置のうちの少なくともいずれか１つにおける位置登録要求を終了するための位置登録終了手順を含む。
一実施形態において、前記プロセッサは更に、前記位置登録処理の結果を、無線ネットワーク及び１以上のリモート無線通信装置のうちの少なくともいずれか１つに出力するように構成されている。
一実施形態において、前記プロセッサは更に、前記位置登録処理の結果を、前記無線通信装置の出力装置に出力するように構成されている。
一実施形態において、表示部を更に備え、前記結果は位置登録結果を含み、前記プロセッサは更に、前記位置登録結果を前記表示部に出力するように構成されている。
一実施形態において、前記プロセッサは更に、第１の位置登録処理を開始した後に、追加的な位置登録処理を周期的に開始するように構成されている。
一実施形態において、前記プッシュトークイベントは、ソフトウェアにより生成されるプッシュトークイベント、ユーザ入力により生成されるプッシュトークイベント、ネットワークにより生成されるプッシュトークイベント、のうちの少なくともいずれか１つを含む。
【国際調査報告】
2009532981.tif 000008
2009532981.tif 000009